(57)【要約】【課題】  拡散部材の全てをケース本体に対して着脱することができる。【解決手段】  撮像レンズ部およびストロボ部を有するデジタルカメラを収納する透明なケース本体１１に、撮像レンズ部が出没自在に挿入する収納筒部１６を形成し、この収納筒部１６の先端部にストロボ部からの光を拡散する拡散部材１８を着脱可能に装着するようにした。従って、拡散部材１８の全てをケース本体１１に対して着脱することができる。このため、ケース本体１１の形状が単純になり、その製作が容易にできるほか、ストロボ撮影をしないときに拡散部材１８をケース本体１１から取り外すことにより、拡散部材１８が邪魔にならず、しかも拡散部材１８によってケース本体１１の外観や操作性が損なわれることがなく、良好に使用することができる。【選択図】        図２
2005309263.tif 000002
【特許請求の範囲】
【請求項１】
撮像レンズ部および投光部を有する撮像装置を収納する少なくとも一部が透明なケース本体と、
このケース本体に形成されて前記撮像レンズ部が挿入する収納筒部と、
この収納筒部の先端部に着脱可能に装着されて前記投光部からの光を拡散する拡散部材と
を備えたことを特徴とする防水ケース。
【請求項２】
前記拡散部材は、前記収納筒部の先端外周に着脱可能に装着する装着部と、この装着部に形成されて前記投光部に対応する前記ケース本体の前面側に位置する枠状の取付枠部と、この取付枠部の内側に取り付けられて前記投光部からの光を拡散する拡散板とを備えていることを特徴とする請求項１に記載の防水ケース。
【請求項３】
前記取付枠部には、前記ケース本体の前面に当接して前記取付枠部を位置規制する脚部が形成されていることを特徴とする請求項２に記載の防水ケース。
【請求項４】
前記ケース本体には、前記脚部を位置規制する位置規制部が設けられていることを特徴とする請求項３に記載の防水ケース。
【請求項５】
撮像装置を収納するケースに着脱可能な拡散部材において、
前記撮像装置の撮像レンズ部が収納される収納筒部の先端外周に着脱可能に装着する装着部と、
この装着部に形成されて前記撮像装置の投光部に対応する前記ケースの前面側に位置する枠状の取付枠部と、
この取付枠部の内側に取り付けられて前記投光部からの光を拡散する拡散板と
を備えたことを特徴とする拡散部材。
【請求項６】
前記取付枠部には、前記ケースの前面に当接して前記取付枠部を位置規制する脚部が形成されていることを特徴とする請求項５に記載の拡散部材。
【発明の詳細な説明】
【技術分野】
【０００１】
この発明は、デジタルカメラなどの撮像装置を収納する防水ケースおよび拡散部材に関する。
【背景技術】
【０００２】
従来、デジタルカメラを収納する防水ケースは、カメラ本体を収納する透明なケース本体を備え、このケース本体にカメラ本体の撮像レンズ部が挿入する円筒状の収納筒部が前面側に突出して形成された構造になっている。
このような防水ケースでは、カメラ本体に設けられたストロボ部を発光させてストロボ撮影をするときに、ストロボ部で発光した光の一部がケース本体から突出した収納筒部の先端に照射されて遮られ、撮影画像の一部に影ができる所謂ケラレが発生する。
【０００３】
このようなケラレを防ぐために、特許文献１の防水ケースは、ストロボ部に対応するケース本体の所定個所に拡散板ガイド部を一体に形成し、この拡散板ガイド部の前面に透明な保護部材を取り付け、この保護部材と拡散板ガイド部との間に拡散板を挿脱可能に挿入し、この挿入された拡散板によってストロボ部で発光した光を拡散することにより、撮影画像の一部に影ができるケラレを防ぐように構成されている。
【特許文献１】特開２００３−２４４４９５号
【発明の開示】
【発明が解決しようとする課題】
【０００４】
しかしながら、このような従来の防水ケースでは、拡散板ガイド部をケース本体に一体に形成し、この拡散板ガイド部に透明な保護部材を取り付け、この保護部材と拡散板ガイド部との間に拡散板を挿脱可能に挿入する構成であるから、拡散板を拡散板ガイド部から取り外すことができても、拡散板ガイド部をケース本体から取り外すことができない。
【０００５】
このため、このような防水ケースでは、ケース本体に拡散板ガイド部を一体に形成しているので、ケース本体の形状が複雑になり、その製作が面倒であるばかりか、拡散板ガイド部や保護部材によってケース本体の外観や操作性が損なわれるという問題があり、しかもストロボ撮影をしないときに、拡散板ガイド部や保護部材が邪魔になるという問題もある。
【０００６】
この発明が解決しようとする課題は、拡散部材の全てをケース本体に対して着脱でき、これによりケース本体の形状が単純で、外観および操作性の良い防水ケースおよび拡散部材を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図８に示すように、撮像レンズ部（３）および投光部（ストロボ部５）を有する撮像装置（デジタルカメラ１）を収納する少なくとも一部が透明なケース本体（１１）と、このケース本体に形成されて前記撮像レンズ部が挿入する収納筒部（１６）と、この収納筒部の先端部に着脱可能に装着されて前記投光部からの光を拡散する拡散部材（１８、３１）とを備えたことを特徴とする防水ケース（１０、３０）である。
【０００９】
請求項２に記載の発明は、図１〜図８に示すように、前記拡散部材（１８、３０）が、前記収納筒部（１６）の先端外周に着脱可能に装着する装着部（２０）と、この装着部に形成されて前記投光部（ストロボ部５）に対応する前記ケース本体の前面側に位置する枠状の取付枠部（２１）と、この取付枠部の内側に取り付けられて前記投光部からの光を拡散する拡散板（２２）とを備えていることを特徴とする請求項１に記載の防水ケース（１０、３０）である。
【００１０】
請求項３に記載の発明は、図６〜図８に示すように、前記取付枠部（２１）には、前記ケース本体（１１）の前面に当接して前記取付枠部を位置規制する脚部（３２）が形成されていることを特徴とする請求項２に記載の防水ケース（３０）である。
【００１１】
請求項４に記載の発明は、図６〜図８に示すように、前記ケース本体（１１）には、前記脚部（３２）を位置規制する位置規制部（位置規制凹部３３）が設けられていることを特徴とする請求項３に記載の防水ケース（３０）である。
【００１２】
請求項５に記載の発明は、図１〜図８に示すように、撮像装置（デジタルカメラ１）を収納するケース（防水ケース１０、３０）に着脱可能な拡散部材において、
前記撮像装置の撮像レンズ部（３）が収納される収納筒部（１６）の先端外周に着脱可能に装着する装着部（２０）と、この装着部に形成されて前記撮像装置の投光部（ストロボ部５）に対応する前記ケースの前面側に位置する枠状の取付枠部（２１）と、この取付枠部の内側に取り付けられて前記投光部からの光を拡散する拡散板（２２）とを備えたことを特徴とする拡散部材（１８、３１）である。
【００１３】
請求項６に記載の発明は、図６〜図８に示すように、前記取付枠部（２１）には、前記ケース（防水ケース３０）の前面に当接して前記取付枠部を位置規制する脚部（３２）が形成されていることを特徴とする請求項５に記載の拡散部材（３１）である。
【発明の効果】
【００１４】
請求項１に記載の発明によれば、撮像レンズ部および投光部を有する撮像装置を収納するケース本体に、撮像レンズ部が挿入する収納筒部を形成し、この収納筒部の先端部に投光部からの光を拡散する拡散部材を着脱可能に装着するようにしたので、拡散部材の全てをケース本体に対して着脱することができる。このため、ケース本体の形状が単純になり、その製作が容易にできるばかりか、ストロボ撮影をしないときに、拡散部材をケース本体から取り外すことにより、拡散部材が邪魔にならず、しかも拡散部材によってケース本体の外観や操作性が損なわれることがなく、良好に使用することができる。
【００１５】
請求項２に記載の発明によれば、拡散部材が、収納筒部の先端外周に着脱可能に装着する装着部と、この装着部に形成されて投光部に対応するケース本体の前面側に位置する枠状の取付枠部と、この取付枠部の内側に取り付けられて投光部からの光を拡散する拡散板とからなることにより、装着部を収納筒部の先端外周にレンズキャップの要領で簡単に且つ容易に着脱することができ、これにより拡散部材をケース本体に対して着脱することができるので、着脱操作性が良く、使い勝手の良いものを得ることができる。
【００１６】
請求項３に記載の発明によれば、取付枠部にはケース本体の前面に当接して取付枠部を位置規制する脚部が形成されていることにより、装着部を収納筒部の先端外周に装着したときに、投光部に対応するケース本体の前面側に位置する取付枠部を脚部によってケース本体に対し位置規制することができるので、取付枠部をケース本体に対し確実に固定することができ、これにより取付枠部に取り付けられた拡散板がケース本体の前後方向に振れることがなく、安定した状態で拡散板を保持することができる。
【００１７】
請求項４に記載の発明によれば、ケース本体に脚部を位置規制する位置規制部が設けられていることにより、取付枠部に設けられた脚部をケース本体の位置規制部によって確実に位置規制することができ、これにより取付枠部の脚部をケース本体の所定位置、つまり投光部に対応するケース本体の前面側に取付枠部を配置させる位置に安定させて固定することができるので、請求項３に記載の発明よりも、より一層、拡散板を所定位置に安定させて保持することができる。
【００１８】
請求項５に記載の発明によれば、拡散部材が、撮像装置の撮像レンズ部を収納する収納筒部の先端外周に着脱可能に装着する装着部と、この装着部に形成されて投光部に対応するケース本体の前面側に位置する枠状の取付枠部と、この取付枠部の内側に取り付けられて投光部からの光を拡散する拡散板とを備えているので、装着部を収納筒部の先端外周にレンズキャップの要領で簡単に且つ容易に着脱することができ、これにより拡散部材をケースに対して着脱することができるので、着脱操作性が良く、使い勝手の良いものを得ることができる。
【００１９】
請求項６に記載の発明によれば、取付枠部にはケース本体の前面に当接して取付枠部を位置規制する脚部が形成されていることにより、装着部を収納筒部の先端外周に装着したときに、投光部に対応するケースの前面側に位置する取付枠部を脚部によってケースに対し位置規制することができるので、取付枠部をケースに対し確実に固定することができ、これにより取付枠部に取り付けられた拡散板がケースの前後方向に振れることがなく、安定した状態で拡散板を保持することができる。
【発明を実施するための最良の形態】
【００２０】
（実施形態１）
以下、図１〜図５を参照して、この発明をデジタルカメラの防水ケースに適用した実施形態１について説明する。
図１はこの発明に用いられるデジタルカメラの外観斜視図、図２はそのデジタルカメラを収納する防水ケースの一部分解した斜視図、図３は図２の防水ケースに拡散部材を装着した状態の斜視図、図４は図３の防水ケースを上方から見た平面図、図５は図２の拡散部材を内側から見て手前側に倒した状態を示した斜視図である。
【００２１】
この実施形態１に用いられるデジタルカメラ１は、図１に示すように、カメラ本体２を備えている。このカメラ本体２の前面には、撮像レンズ部３、ファインダ部４、およびストロボ部５が設けられており、カメラ本体２の上面にはシャッタ釦６が設けられている。撮像レンズ部３は、カメラ本体２の前面から鏡胴３ａが３段階で出没自在に突出することにより、望遠機能や広角機能などのズーム機能を有するように構成されている。この場合、撮像レンズ部３は、撮影しないときにカメラ本体２内に没入して収納され、撮影するときにカメラ本体２の厚みに対し最大で１〜１．５倍程度、カメラ本体２の前面から突出するように構成されている。
【００２２】
一方、デジタルカメラ１を収納する防水ケース１０は、図２に示すように、ケース本体１１を備えている。このケース本体１１は、透明な合成樹脂からなるフロントケース１２と、透明な合成樹脂からなるリアケース１３とからなり、これらフロントケース１２とリアケース１３との各一側部（図２では右側の側部）がヒンジ部１４によって開閉可能に連結され、これによりヒンジ部１４を中心にフロントケース１２とリアケース１３とが回動して開閉するように構成されている。
【００２３】
また、このケース本体１１は、図２に示すように、ヒンジ部１４と反対側に位置する各他側部（同図では左側の側部）にロック部材１５が設けられ、このロック部材１５によってフロントケース１２とリアケース１３とを閉じた状態で係脱可能にロックされるように構成されている。これにより、防水ケース１０は、その内部にデジタルカメラ１を収納した状態で、通常のカメラ操作と同様に操作して被写体を撮影できるように構成されている。
【００２４】
この場合、フロントケース１２の上面には、図２に示すように、防水構造の押釦１７がデジタルカメラ１のシャッタ釦６に対応して設けられている。また、フロントケース１２の前面には、デジタルカメラ１の撮像レンズ部３が出没自在に挿入する円筒状の収納筒部１６が前方に突出した状態で一体に形成されている。この収納筒部１６は、その先端部が透明な合成樹脂で塞がれた状態で、フロントケース１２とリアケース１３とを閉じたときの防水ケース１０の厚みとほぼ同じ長さで、且つデジタルカメラ１の撮像レンズ部３の最大突出量よりも少し長く突出して形成されている。
【００２５】
ところで、この防水ケース１０の収納筒部１６の先端部には、図２および図３に示すように、拡散部材１８が着脱可能に装着されるように構成されている。すなわち、この拡散部材１８は、図２〜図５に示すように、収納筒部１６の先端外周に着脱可能に装着するリング状の装着部２０と、この装着部２０に一体に形成されてカメラ本体２のストロボ部５に対応するフロントケース１２の前面側に位置する枠状の取付枠部２１と、この取付枠部２１の内側に取り付けられてストロボ部５からの光を拡散する拡散板２２とを備え、全体がほぼ平坦な形状をなすように構成されている。
【００２６】
リング状の装着部２０は、合成樹脂からなり、図５に示すように、中央部に収納筒部１６の内径とほぼ同じ大きさの円形状の開口部２０ａが設けられたほぼキャップ状に形成されている。すなわち、この装着部２０は、収納筒部１６の先端外周面に嵌合する嵌合筒部２０ｂと、収納筒部１６の先端面に当接するリング状の当接鍔部２０ｃとからなり、これによりレンズキャップと同じ要領で、図３および図４に示すように、防水ケース１０の収納筒部１６の先端外周に着脱自在に装着するように構成されている。
【００２７】
また、取付枠部２１は、装着部２０と同じ合成樹脂からなり、図２〜図５に示すように、装着部２０の外周部から側方に向けて突出して形成され、装着部２０が防水ケース１０の収納筒部１６の先端外周に装着されたときに、図３に示すようにストロボ部５に対応するフロントケース１２の前面側に位置した状態で、図４に示すようにフロントケース１２の前面に対してほぼ平行に配置されるように構成されている。拡散板２２は、ストロボ部５で発光した光を拡散して透過する硬質の合成樹脂からなり、図２〜図５に示すように、ほぼ平板状に形成され、取付枠部２１の内側に装着された状態で取り付けられている。
【００２８】
この場合、装着部２０および取付枠部２１は、硬質の合成樹脂であっても良く、また軟質の合成樹脂であっても良い。特に、硬質の合成樹脂で形成した場合には、装着部２０を防水ケース１０の収納筒部１６の先端外周に装着したときに、取付枠部２１がフロントケース１２の前面に対して前後方向に振れにくい構造になる。また、軟質の合成樹脂で形成した場合には、装着部２０が収納筒部１６の先端部に装着しやすくなると共に、取付枠部２１に拡散板２２が取り付けやすくなり、しかも拡散板２２が取付枠部２１に嵌め込まれることにより、取付枠部２１の強度が確保される。
【００２９】
このような防水ケース１０では、フロントケース１２とリアケース１３とをヒンジ部１４を中心に回動させて開き、その内部にデジタルカメラ１を配置して、フロントケース１２とリアケース１３とを閉じ、この状態でロック部材１５によってフロントケース１２とリアケース１３とをロックすることにより、防水性を確保してデジタルカメラ１をケース本体１１内に収納することができる。この状態では、通常のカメラと同様に操作して撮影することができる。
【００３０】
また、この状態で、ストロボ撮影するときには、図３および図４に示すように、拡散部材１８を防水ケース１０の収納筒部１６の先端部に装着する。このときには、拡散部材１８のリング状の装着部２０を防水ケース１０の収納筒部１６の先端外周に装着して、取付枠部２１に取り付けられた拡散板２２をフロントケース１２の前面側に対応させると、拡散板２２がフロントケース１２の前面とほぼ平行に配置され、この状態で拡散部材１８が防水ケー１０に対して取り付けられる。
【００３１】
これにより、カメラ本体２のストロボ部５を発光させると、その光がフロントケース１２を透過して拡散部材１８の拡散板２２に照射され、この照射された光が拡散板２２で拡散されて被写体に照射される。このため、この防水ケース１０では、収納筒部１６がケース本体１１の前面から長く突出して形成されていても、その収納筒部１６の先端部に拡散部材１８が取り付けられていることにより、ストロボ撮影時にストロボ部５で発光した光の一部が収納筒部１６の先端に照射されて遮られ、撮影画像の一部に影ができる所謂ケラレを防ぐことができ、これにより良好にストロボ撮影をすることができる。
【００３２】
このように、この防水ケース１０によれば、撮像レンズ部３およびストロボ部５を有するデジタルカメラ１を収納する透明なケース本体１１に、撮像レンズ部３が出没自在に挿入する収納筒部１６を形成し、この収納筒部１６の先端部にストロボ部５からの光を拡散する拡散部材１８を着脱可能に装着するようにしたので、拡散部材１８の全てをケース本体１１に対して着脱することができる。このため、ケース本体１１の形状が単純になり、その製作が容易にできるばかりか、ストロボ撮影をしないときに拡散部材１８をケース本体１１から取り外すことにより、拡散部材１８が邪魔にならず、しかも拡散部材１８によってケース本体１１の外観や操作性が損なわれることがなく、良好に使用することができる。
【００３３】
この場合、拡散部材１８は、収納筒部１６の先端外周に着脱可能に装着するリング状の装着部２０と、この装着部２０に一体に形成されてストロボ部５に対応するフロントケース１２の前面側に位置する枠状の取付枠部２１と、この取付枠部２１の内側に取り付けられてストロボ部５からの光を拡散する拡散板２２とを備えていることにより、リング状の装着部２０を収納筒部１６の先端外周にレンズキャップの要領で簡単に且つ容易に着脱することができ、これにより拡散部材１８をケース本体１１に対して着脱することができるので、着脱操作性が良く、使い勝手の良いものを得ることができる。
【００３４】
特に、拡散部材１８は、その装着部２０が防水ケース１０の収納筒部１６の先端部に装着されるので、防水ケース１０の収納筒部１６がフロントケース１２の前面から大きく突出していても、その収納筒部１６の先端部とほぼ同じ位置に対応するフロントケース１２の前面側に、拡散板２２を取付枠部２１によって配置させることができ、これによりストロボ撮影時に撮影画像の一部に影ができる所謂ケラレを確実に防ぐことができる。また、この拡散部材１８は、ストロボ撮影をしないときに防水ケース１０の収納筒部１６から取り外しても、全体がほぼ平坦な形状をなすので、持ち運びに便利で、携帯性が良い。
【００３５】
（実施形態２）
次に、図６〜図８を参照して、この発明をデジタルカメラの防水ケースに適用した実施形態２について説明する。なお、図１〜図５に示された実施形態１と同一部分には同一符号を付して説明する。
この防水ケース３０は、拡散部材３１の取付枠部２１に脚部３２を設けると共に、ケース本体１の前面に脚部３２を位置規制する位置規制凹部３３を設けた構造で、これ以外は実施形態１とほぼ同じ構造になっている。
【００３６】
この場合、防水ケース３０は、実施形態１と同様、ケース本体１１を備えている。このケース本体１１は、図６に示すように、透明な合成樹脂からなるフロントケース１２と透明な合成樹脂からなるリアケース１３との各一側部が、ヒンジ部１４によって開閉可能に連結されていると共に、このヒンジ部１４と反対側の各他側部にロック部材１５が設けられ、このロック部材１５によってフロントケース１２とリアケース１３とを閉じた状態でロックされるように構成されている。
【００３７】
また、拡散部材３１は、実施形態１と同様、防水ケース３０の収納筒部１６の先端外周に着脱可能に装着するリング状の装着部２０と、この装着部２０に一体に形成されてカメラ本体２のストロボ部５に対応するフロントケース１２の前面側に位置する枠状の取付枠部２１と、この取付枠部２１の内側に取り付けられてストロボ部５からの光を拡散する拡散板２２とを備えているほか、図６〜図８に示すように、フロントケース１２の前面に当接して取付枠部２１を位置規制する脚部３２を取付枠部２１に一体に形成した構造になっている。また、ケース本体１１のフロントケース１２の前面には、図６に示すように、脚部３２の先端を位置規制する位置規制凹部３３が設けられている。
【００３８】
このような防水ケース３０によれば、実施形態１の防水ケース１０と同様の作用効果があるほか、特に取付枠部２１に脚部３２が形成されているので、リング状の装着部２０を防水ケース３０の収納筒部１６の先端外周に装着したときに、図７に示すように、取付枠部２１に設けられた脚部３２が防水ケース３０のフロントケース１２の前面に当接し、この脚部３２によって拡散部材３０の取付枠部２１をフロントケース１２に対し位置規制することができる。このため、取付枠部２１をフロントケース１２に対し確実に固定することができ、これにより取付枠部２１に取り付けられた拡散板２２がフロントケース１２の前後方向に振れることがなく、安定した状態で拡散板２２を保持することができる。
【００３９】
この場合、特にフロントケース１２の前面には、図６に示すように、脚部３２を位置規制する位置規制凹部３３が設けられていることにより、取付枠部２１に設けられた脚部３２をフロントケース１２の位置規制凹部３３によって確実に位置規制することができる。これにより、取付枠部２１の脚部３２をフロントケース１２の所定位置に確実に位置規制することができるので、フロントケース１２の収納筒部１６の先端外周に装着されたリング状の装着部２０が収納筒部１６の先端部を中心に勝手に回転するのを防ぐことができ、このため、より一層、拡散板２２を所定位置に安定させて保持することができる。
【００４０】
なお、上記実施形態１、２では、防水ケース１０のフロントケース１２とリアケース１３とを全て透明な合成樹脂で形成した場合について述べたが、必ずしも透明な合成樹脂で形成する必要はなく、ケース本体１１の所定部分、つまりデジタルカメラ１のファインダ部４、ストロボ部５、および表示部（図示せず）に対応する部分のみを透明な窓部に形成した構造でも良い。
【００４１】
また、上記実施形態１、２では、撮像装置として、デジタルカメラ１を収納する防水ケース１０、３０に適用した場合について述べたが、これに限らず、例えばフィルムカメラやビデオカメラなど、ストロボ部を有する他のカメラを収納する場合にも適用することができる。
【図面の簡単な説明】
【００４２】
【図１】この発明の防水ケースに収納されるデジタルカメラを示した外観斜視図である。（実施形態１）
【図２】図１のデジタルカメラを収納する防水ケースの一部分解した斜視図である。
【図３】図２の防水ケースに拡散部材を装着した状態を示した斜視図である。
【図４】図３の防水ケースを上方から見た平面図である。
【図５】図２の拡散部材を内側から見て手前側に倒した状態を示した斜視図である。
【図６】この発明の防水ケースの一部分解した斜視図である。（実施形態２）
【図７】図６の防水ケースに拡散部材を装着した状態を示した平面図である。
【図８】図６の拡散部材を内側から見て手前側に倒した状態を示した斜視図である。
【符号の説明】
【００４３】
１  デジタルカメラ
２  カメラ本体
３  撮像レンズ部
５  ストロボ部
１０、３０  防水ケース
１１  ケース本体
１２  フロントケース
１３  リアケース
１６  収納筒部
１８、３１  拡散部材
２０  装着部
２１  取付枠部
２２  拡散板
３２  脚部
３３  位置規制凹部
【図１】
2005309263.tif 000003
【図２】
2005309263.tif 000004
【図３】
2005309263.tif 000005
【図４】
2005309263.tif 000006
【図５】
2005309263.tif 000007
【図６】
2005309263.tif 000008
【図７】
2005309263.tif 000009
【図８】
2005309263.tif 000010